(57)【要約】【目的】本発明は、間仕切りを単体でも立設することが可能な間仕切りの安定脚取付装置に関するもので、間仕切りの下面に取付られる接地脚と同一の接地脚を使用しても間仕切りの高さを同じにすることができ、必要な個所にのみ安定脚を取付ることで、全体のコストアップを極力おさえることができると共に、備品が邪魔にならない位置に取付位置を選択することができる間仕切りの安定脚取付装置を提供する。【構成】間仕切りと直交し、間仕切りの幅方向端部側で前後方向に張り出して取付られる間仕切りの安定脚取付装置において、間仕切りの下端部が嵌合する嵌合凹部を支持脚の前後方向中央部に形成すると共に、間仕切りの幅方向外方に所定所定寸法突出し、間仕切りの下端面と連結される連結突部を嵌合凹部に連設せしめ、間仕切り下面に形成された接地脚取付螺孔に対応する連結孔を連結突部に形成したものである。【選択図】    図１
2004300697.tif 000002
【特許請求の範囲】
【請求項１】
間仕切りと直交し、間仕切りの幅方向端部側で前後方向に張り出して取付られる間仕切りの安定脚取付装置において、間仕切りの下面に取付られる接地脚と同一の接地脚を、支持脚の前後端部下面に取付ても、間仕切り高さが同一となるよう、間仕切りの下端部が嵌合する嵌合凹部を支持脚の前後方向中央部に形成すると共に、間仕切りの幅方向外方に所定寸法突出し、間仕切りの下端面と連結される連結突部を嵌合凹部に連設せしめ、間仕切り下面に形成された接地脚取付螺孔に対応する連結孔を連結突部に形成したことを特徴とする間仕切りの安定脚取付装置。
【請求項２】
連結突部の連結孔が、間仕切りの幅方向に長孔となしたことを特徴とする請求項１に記載の間仕切りの安定脚取付装置。
【請求項３】
連結突部の前後端部に間仕切りの下端部の前後面を挟持する前後挟持突部を連設したことを特徴とする請求項２に記載の間仕切りの安定脚取付装置。
【発明の詳細な説明】
【０００１】
【発明の属する技術分野】
本発明は、間仕切りを単体でも立設することが可能な間仕切りの安定脚取付装置に関するものである。
【０００２】
【従来の技術】
執務空間を所望に応じて区画する方法の一つとして、床置きタイプの間仕切りがある。
この種の間仕切りは、上下枠と上下枠の端部に位置する左右縦枠より間仕切り枠を構成し、この間仕切り枠の表裏にパネルを設け、下枠の幅方向端部下面に接地脚（接地脚は、アジャスターであったり、移動が簡単なようキャスターであったり、設置場所によって選択される。）を設けて構成し、複数枚を直線的あるいはコ字形等に連結して執務空間を区画している。
しかしながら、直線的に連結される間仕切りの枚数が多くなると安定性に欠けるため、所定の枚数ごとに、間仕切りと直交する方向に安定脚を取付る必要があった。
この時、安定脚の取付位置によっては、安定脚が設置された備品（机の脚体）と接触することがあり、間仕切りを備品に密着させることが出来なかった。
この問題を解決するため、安定脚の中央部より一端側に偏った位置で、間仕切りの下端角部に回転自在に取付、その枢止点から安定脚の短い方の一端までの長さが枢止点から間仕切りの側縁までの長さに略近似した長さに設定した間仕切りが提供されている。（例えば、特許文献１参照。）
【０００３】
しかしながら、この間仕切りは、安定脚に間仕切りと同一の接地脚（キャスター）を設けると、安定脚の取付構造から、他の間仕切りとの高さ寸法が一致しなくなる（羽根脚の厚み分間仕切りの高さが高くなる）ので、各間仕切りにそれぞれ安定脚を取付るか、あるいは高さの異なる接地脚を用意しなければならなかった。
【０００４】
【特許文献１】
実公平５−３６０５公報
【０００５】
【本発明が解決しようとする課題】
本発明は、間仕切りの下面に取付られる接地脚と同一の接地脚を安定脚に使用しても間仕切りの高さ寸法を同じにすることができるので、必要な個所の間仕切りにのみ安定脚を取付ることで、全体のコストアップを極力おさえることができるとともに、備品が邪魔にならない位置に安定脚の取付位置を選択することができる間仕切りの安定脚取付装置を提供する事を課題とする。
【０００６】
【課題を解決するための手段】
そこで、上記課題を解決する為、本発明が第１の手段として構成したところは、間仕切りと直交し、間仕切りの幅方向端部側で前後方向に張り出して取付られる間仕切りの安定脚取付装置において、間仕切りの下面に取付られる接地脚と同一の接地脚を、支持脚の前後端部下面に取付ても、間仕切り高さが同一となるよう、間仕切りの下端部が嵌合する嵌合凹部を支持脚の前後方向中央部に形成すると共に、間仕切りの幅方向外方に所定寸法突出し、間仕切りの下端面と連結される連結突部を嵌合凹部に連設せしめ、間仕切り下面に形成された接地脚取付螺孔に対応する連結孔を連結突部に形成したものである。
次に、本発明が第２の手段として構成したところは、前記第１の手段に加え、連結突部の連結孔が、間仕切りの幅方向に長孔となしたものである。
次に、本発明が第３の手段として構成したところは、前記第２の手段に加え、連結突部の前後端部に間仕切りの下端部の前後面を挟持する前後挟持突部を連設したものである。
【０００７】
【実施例】
以下実施例を図面に基づいて説明する。
図１は、本発明の要部斜視図を示し、符号１は間仕切り、符号２は安定脚を示している。
間仕切り１は、左右縦枠１１、１１、下枠１２、下枠１２と対向する同形の上枠１３と左右枠１１、１１と上下枠１２、１３のコーナー部分を連結するコーナー金具１４・・・よりなる枠体の表裏両面にパネル１５、１５を貼り付けて構成されている。
そして、間仕切り１の下面所定位置（幅方向端部内側）に接地脚３（アジャスターあるいはキャスター）の接地脚取付螺孔１４０（図３から図６に示す。）が形成されている。
尚、実施例では、接地脚取付螺孔１４０は下枠１２内に嵌入するコーナー金具１４の嵌入突起１４１に形成され、下枠１２には接地脚取付螺孔１４０に臨む貫通孔が形成されている。
【０００８】
安定脚２は、前後端部内部に接地脚取付座２１、２１と、前後方向に渡って内部に配設された中央補強材２２からなる支持脚２０と、支持脚２０の前後端部下面に接地脚取付座２１、２１を介して着脱自在に連結される接地脚３，３と、支持脚２０の前後方向中央部に連設された間仕切り１の幅方向に所定寸法突出する連結座５より、前後方向に対称形に構成されている。
【０００９】
支持脚２０は、前後方向中央部に嵌合凹部２４を有している。嵌合凹部２４は前後方向で間仕切り１の厚みより若干大きめの幅で、上下方向で間仕切り１に使用される接地脚３と同一の接地脚３を、接地脚取付座２１、２１に取付ても、間仕切り１と同一高さを維持する深さに構成されている。
【００１０】
連結座５は、嵌合凹部２４の底部２４１と面一で間仕切り１の下面と連結される連結突部５１と、連結突部５１の前後端部で上方に突出し、嵌合凹部２４に嵌合した間仕切り１の下端部を前後側から挟持する挟持突部５２、５２と、連結突部５１の支持脚２０側端部に連設され支持脚２０に固着される固着用突部５３より構成され、連結突部５１には間仕切り１の接地脚取付螺孔１４０に対応する間仕切り１の幅方向に長い長孔よりなる連結孔５１０が形成されている。
【００１１】
尚、実施例では、嵌合凹部２４の底部２４１は中央補強材２２の上面にて兼用しているが、連結座５の連結突部５１の支持脚２０側端部を延出して嵌合凹部２４内に嵌入し、固着用突部５３を支持脚２０の内面側と固着してもよく、あるいは、固着用突部５３を設けず、連結突部５１を中央補強材２２の上面に固着してもよく、支持脚２０に対する連結座５の形成方法は適宜変更可能である。
【００１２】
本発明は上記の如く構成されているので、連結座５の突出方向、あるいは、接地脚取付螺孔１４０と連結孔５１０の連結位置を選択することにより、執務空間を区画したとき備品の位置に応じて、安定脚の取付位置を適宜変更することが可能である。
すなわち、図３に示すように、連結突部５１を間仕切り１の内側方向に位置させ、連結孔５１０の最も支持脚２０寄りを利用した状態で、間仕切り１の接地脚取付螺孔１４０に連結ネジ５０にて連結すると、支持脚２０は、間仕切り１の最も端部側に位置した状態となる。
又、図４に示すように、連結突部５１を間仕切り１の内側方向に位置させ、連結孔５１０の最も支持脚２から離れた位置を利用した状態で、間仕切り１と連結すると、支持脚２０は、間仕切り１の端部側より突出した位置となり、突出した支持脚２０の嵌合凹部２４に他方の間仕切り１の下端部を嵌合して取付ることが可能となる。
又、図５に示すように、連結突部５１を間仕切り１の内側方向に位置させ、連結孔５１０の中央部よりを利用した状態で、間仕切り１と連結すると、支持脚２０は、間仕切り１の端部側よりやや突出した位置で、間仕切り１の下端部を嵌合して取付ることが可能となり、長孔となした連結孔５１０と接地脚取付螺孔１４０の連結位置を選択することによって、連結突部５１の向きが一定方向であっても、備品の位置の応じて幅広く支持脚の位置を選択することができる。
さらに、図６に示すように、連結突部５１の向きを上記と反対方向で使用することで、支持脚２０の間仕切り１に対する取付け位置の選択の幅をさらに広げることが出来る。
【発明の効果】
請求項１に記載の発明によると、嵌合凹部によって、間仕切りの下面に取付られる接地脚と同一の接地脚を安定脚に使用しても間仕切りの高さ寸法を同じにすることができるので、必要な個所の間仕切りにのみ安定脚を取付たことで、全体のコストアップを極力おさえることができるとともに、嵌合凹部を安定脚の前後方向中央部に形成し、連結突部を嵌合凹部に連設せしめ、間仕切り下面に形成された接地脚取付螺孔に対応する連結孔を連結突部に形成しているので、備品が邪魔にならない位置に安定脚の取付方向を選択することができる。
請求項２に記載の発明によると、連結孔を間仕切りの幅方向に長孔としているので、上記効果に加え、備品が邪魔にならない位置に安定脚の取付け位置を適宜選択することができる。
請求項３に記載の発明によると、連結突部の前後端部に間仕切りの下端部の前後面を挟持する前後挟持突部を連設しているので、上記効果に加え、間仕切りを安定よく立設することが出来る。
【図面の簡単な説明】
【図１】本発明の要部斜視図
【図２】本発明の概略側面面図
【図３】安定脚の取付け状態の例１を示す要部正面図
【図４】安定脚の取付け状態の例２を示す要部正面図
【図５】安定脚の取付け状態の例３を示す要部正面図
【図６】安定脚の取付け状態の例４を示す要部正面図
【符号の説明】
１                  間仕切り
２                  安定脚
２０                支持脚
２４                嵌合凹部
３                  接地脚
５                  連結座
５１                連結突部
５１０              連結孔
５２                挟持突部
【図１】
2004300697.tif 000003
【図２】
2004300697.tif 000004
【図３】
2004300697.tif 000005
【図４】
2004300697.tif 000006
【図５】
2004300697.tif 000007
【図６】
2004300697.tif 000008